(57)【要約】【課題】輸液チャンバー内の滴数異常を防止して、各用品を安定した状態で取付ける構造を提供する。【解決手段】非経口的に薬液３を投与するために、スタンド１３に吊り下げられての薬液３を滴下させる輸液チャンバー７と、該輸液チャンバー７に取付けられ薬液３が滴下する滴数をカウントする点滴カウンター９が設けられた点滴カウンターの取付け構造において、点滴カウンター９をスタンド１３に取付けるための点滴カウンター取付け手段２７を設けた。【選択図】      図１
2004283436.tif 000002
【特許請求の範囲】
【請求項１】
非経口的に薬液を投与するために、スタンドに吊り下げられて薬液を滴下させる輸液チャンバーと、該輸液チャンバーに取付けられ前記薬液が滴下する滴数をカウントする点滴カウンターが設けられた点滴カウンターの取付け構造において、前記点滴カウンターを前記スタンドに取付けるための点滴カウンター取付け手段を設けたことを特徴とする点滴カウンターの取付け構造。
【請求項２】
非経口的に薬液を投与するために、スタンドに吊り下げられて薬液を滴下させる輸液チャンバーと、該輸液チャンバーに取付けられ前記薬液が滴下する滴数をカウントする点滴カウンターと、前記スタンドに取付けられて前記輸液チャンバーの薬液を一定量だけ送出させる輸液ポンプが設けられた点滴カウンターの取付け構造において、前記輸液ポンプには上方向に延長する支柱を設け、前記点滴カウンターを該支柱に取付けるための点滴カウンター取付け手段を設けたことを特徴とする点滴カウンターの取付け構造。
【請求項３】
前記点滴カウンター取付け手段には、該点滴カウンター取付け手段が前記スタンドまたは前記支柱と当接する部分に弾性部材を設けたことを特徴とする請求項１または２のいずれかに記載の点滴カウンターの取付け構造。
【請求項４】
非経口的に薬液を投与するために、スタンドに取付けられ薬液を一定量だけ送出させる輸液ポンプが設けられた輸液ポンプの取付け構造において、前記輸液ポンプを前記スタンドに取付けるための輸液ポンプ取付け手段を設け、該輸液ポンプ取付け手段には、前記スタンドの柱部に取付けられる第１の取付け部分と、前記スタンドの上部に設けた水平竿部に取付けられる第２の取付け部分とを設けたことを特徴とする輸液ポンプの取付け構造。
【請求項５】
前記輸液ポンプ取付け手段の第２の取付け部分には、前記スタンドの水平竿部に引っ掛けられる爪部を設けたことを特徴とする請求項４に記載の輸液ポンプの取付け構造。
【請求項６】
前記爪部は、少なくとも２つ以上に先端部が分岐して形成され、前記スタンドの水平竿部に引っ掛けることができるようにしたことを特徴とする請求項５に記載の輸液ポンプの取付け構造。
【発明の詳細な説明】
【０００１】
【発明の属する技術分野】
本発明は、人体に輸液をするときに使用される点滴カウンターおよび輸液ポンプを移動スタンドに取り付けるための取付け構造に関するものである。
【０００２】
【従来の技術】
従来、人体に水分、電解質または栄養素など（以下、薬液という）を投与して、体液補給、電解質バランスの補正、栄養補給などを行うために、輸液をするための各種装置が使用されている。図７に、その一例を示す。
【０００３】
輸液を行うための具体的な構成を、この図７を用いて以下に説明する。
薬液ボトル５３に封入された薬液５２は、薬液ボトル５３から輸液セット５４を経由して、輸液ポンプ５０に送られている。輸液セット５４には輸液チャンバー５６が設けられており、薬液５２が輸液チャンバー５６内で滴状に自然落下するようになっている。この滴下する薬液５２の滴数をカウントするために、輸液チャンバー５６には点滴カウンター５７が取付けられている。この点滴カウンター５７には、輸液ポンプ５０から延びた信号線６０が配線されており、点滴カウンター５７のカウント情報が輸液ポンプ５０に逐次送られるようになっている。信号を受けた輸液ポンプ５０は、輸液中に点滴される滴数の異常カウントの有無をチェックしている。なお、薬液５２が流下する管５８には軟質塩ビチューブが使用されており、薬液ボトル５３や輸液ポンプ５０が取付けられる位置に合せて柔軟に湾曲させることができるようになっている。
【０００４】
これらの輸液ポンプ５０や薬液ボトル５３は、移動することができる伸縮可能なイルリガートルスタンド５９に取付けられており、輸液チャンバー５６および点滴カウンター５７は、薬液ボトル５３から管５８により吊り下げられた状態で取り付けられている。これにより、病院関係者が、これらの装置類を用いて輸液をおこなう際に、各装置類をイルリガートルスタンド５９に取り付けた状態で移動させることができるようになっている。
【０００５】
【発明が解決しようとする課題】
しかしながら、上述の輸液チャンバー５６および点滴カウンター５７は、薬液ボトル５３から吊り下げられた状態となっているので、輸液中に病院関係者がイルリガートルスタンド５９を移動させる場合や、患者が誤ってスタンド５９に接触した場合には、振動で輸液チャンバー５６が揺れてしまうことがある。また、輸液中に病院関係者が輸液ポンプ５０の操作を行うときに、輸液ポンプ５０の取付け部の締め付けが緩くなったりした場合にイルリガートルスタンド５９を揺らしてしまうことがある。
【０００６】
このように、輸液チャンバー５６が大きく揺れると、輸液チャンバー５６内の薬液５２の滴数が乱れてしまい、点滴カウンター５７が異常な滴数をカウントしまうことがあった。輸液ポンプ５０は輸液する量を一定に維持しているので、人体に影響を与えることはないが、滴数異常を検知した輸液ポンプ５０は、安全装置を作動させ、その異常カウントを確認させるための警報を鳴らしたり、安全のために輸液ポンプ５０を停止させたりすることとなる。そのため、病院関係者は、実質的不都合がない場合であっても、警報のある毎に、輸液ポンプ５０や輸液セット５４の異常を確認しなければならなかった。
【０００７】
本発明は、このような実情に鑑みてなされたものであって、その目的は、輸液チャンバー内の滴数異常の発生を防止するために、輸液チャンバーをスタンドに取付けるとともに、各用品を安定した状態で取付けることができる構造を提供することにある。
【０００８】
【課題を解決するための手段】
本発明は、上記目的を達成するためのものであって、非経口的に薬液を投与するために、スタンドに吊り下げられて薬液を滴下させる輸液チャンバーと、該輸液チャンバーに取付けられ前記薬液が滴下する滴数をカウントする点滴カウンターが設けられた点滴カウンターの取付け構造において、前記点滴カウンターを前記スタンドに取付けるための点滴カウンター取付け手段を設けたことを特徴とする。
【０００９】
また、本発明は、別の形態で、非経口的に薬液を投与するために、スタンドに吊り下げられて薬液を滴下させる輸液チャンバーと、該輸液チャンバーに取付けられ前記薬液が滴下する滴数をカウントする点滴カウンターと、前記スタンドに取付けられて前記輸液チャンバーの薬液を一定量だけ送出させる輸液ポンプが設けられた点滴カウンターの取付け構造において、前記輸液ポンプには上方向に延長する支柱を設け、前記点滴カウンターを該支柱に取付けるための点滴カウンター取付け手段を設けたことを特徴とする。
【００１０】
好適な実施の形態において、本発明に係る点滴カウンターの取付け構造は、前記点滴カウンター取付け手段に、該点滴カウンター取付け手段が前記スタンドまたは前記支柱と当接する部分に弾性部材を設けている。
【００１１】
また、本発明の別の実施の形態で、輸液ポンプの取付け構造であり、非経口的に薬液を投与するために、スタンドに取付けられ薬液を一定量だけ送出させる輸液ポンプが設けられた輸液ポンプの取付け構造において、前記輸液ポンプを前記スタンドに取付けるための輸液ポンプ取付け手段を設け、該輸液ポンプ取付け手段には、前記スタンドの柱部に取付けられる第１の取付け部分と、前記スタンドの上部に設けた水平竿部に取付けられる第２の取付け部分とを設けたことを特徴とする。
【００１２】
好適な実施の形態において、本発明にかかる輸液ポンプの取付け構造は、前記輸液ポンプ取付け手段の第２の取付け部分に、前記スタンドの水平竿部に引っ掛けられる爪部を設けている。
また、この場合、前記爪部は、少なくとも２つ以上に先端部が分岐して形成され、前記スタンドの水平竿部に引っ掛けることが好ましい。
【００１３】
【発明の実施の形態】
以下に、本発明の実施の形態に係る点滴カウンターおよび輸液ポンプの取付け構造について、図１〜図６を用いて詳細に説明する。
まず、図１および図２に、本発明に係る点滴カウンターの取付け構造の第１の実施の形態を示す。
【００１４】
最初に、輸液用器具類１の構成について説明する。輸液ポンプ１１などが取付けられている移動可能なイルリガートルスタンド（スタンド）１３には、上下方向に伸縮可能な柱部１４と、その柱部１４の頂上部から放射状に横方向に延びるように突出している水平竿部１５と、イルリガートルスタンド１３を床に立脚させるための脚部１７が設けられている。この脚部１７には、好ましくは、床の上を移動させるためのローラーが取付けられている。
【００１５】
水平竿部１５の先端部分には、略Ｕ字形の引っ掛け用のフックが上側に開放端が向くように形成されており、該フックには薬液３を封入した薬液ボトル５が液出口を下側に向けて吊り下げられている。薬液ボトル５の下側には、輸液チャンバー７が設けられており、薬液ボトル５の液出口と管１９によって接続されている。薬液ボトル５から管１９を流下した薬液３は、輸液チャンバー７に流入することができるようになっている。輸液チャンバー７の入口部に設けられた図示しない絞り弁は、流下してきた薬液３が輸液チャンバー７の内部で１滴ずつ滴下されるように、その滴下量や速度を調整することができるように構成されている。また、輸液チャンバー７は、薬液３が確実に滴下しているのを目視確認することができるような構造となっている。
【００１６】
輸液チャンバー７には、薬液３が滴下する滴数をカウントする点滴カウンター９が取付けられており、輸液チャンバー７の内部で薬液３が滴下するのを横方向から検知できるようになっている。この点滴カウンター９の検知部分には、光学センサーが用いられており、誤作動を防止するために滴下時に生じる飛沫を分別して滴数をカウントすることができるようになっている。
【００１７】
輸液チャンバー７の下側には、輸液ポンプ１１が設けられており、輸液チャンバー７の液出口と管２１によって接続されている。この輸液ポンプ１１は、取付け金具２９によって移動可能なイルリガートルスタンド１３の柱部１４に取付けされている。また、輸液ポンプ１１は、点滴カウンター９と配線２５で接続されており、点滴カウンター９からの滴数の信号が輸液ポンプ１１に送られるようになっている。
【００１８】
輸液ポンプ１１の前面（図４参照）には、電源ボタン４２などの操作ボタンが配置されており、設定ボタン４０を操作することにより、輸液流量（滴／分，ｍｌ／ｈ）や、輸液予定量（ｍｌ）などをそれぞれ設定することができるようになっている。この輸液ポンプ１１には、注入圧力を一定にして輸液量を正確に送り出すために、ペリスタリック式のものが使用されている。このペリスタリック式の輸液ポンプとは、ポンプ内に設けた輸液チューブを、押さえ板と複数並列した輸液フィンガーとの間に配設して、該輸液フィンガーが前記輸液チューブをポンプの入口側から出口側へと順次押圧して薬液を送り出す方式のものである。さらに、輸液ポンプ１１には、送出中の薬液３の中に生じた気泡を検出する検知装置や、前記輸液フィンガーを簡単に取り外して容易に洗浄することができる構造を備えている。
【００１９】
輸液ポンプ１１には、点滴カウンター９の信号が送信され、滴数異常の場合に警報を表示する機能が設けられている。この警報は、電子音や光の点滅などにより表示され、さらには異常の内容を文字で表示したりするものがある。また、その他に、輸液ポンプ１１自体の操作異常や、電源電圧の異常の場合にも警報が発せられるようになっている。
【００２０】
輸液ポンプ１１の送出口には管２３が接続されており、この管２３から一定量の薬液３が人体に送液されることとなる。
【００２１】
輸液チャンバー７に取付けられた点滴カウンター９は、図１に示すように、イルリガートルスタンド１３の柱部１４に点滴カウンター取付け金具２７を用いて取付けられている。この点滴カウンター取付け金具２７は、一端が点滴カウンター９に螺合して取付けられており、他端がイルリガートルスタンド１３の柱部１４を把持して取付けることができる構造となっている。
【００２２】
点滴カウンター取付け金具２７の柱部１４を把持する構造であって、図１のＡ−Ａ断面を図２に示す。点滴カウンター取付け金具２７の把持部品２８は、柱部１４の外径より大きい内径を有するＵ字形状で形成されている。把持部品２８のＲ止まり部分には、外側から把持部品２８の内形方向にねじ孔が螺設されており、外側からねじ部品３０が柱部１４の中心方向に向かって螺合するようになっている。柱部１４は、把持部品２８の内周面とねじ部品３０で押圧されて把持されるようになっている。また、点滴カウンター取付け金具２７の把持部材２８の内周面には、摩擦係数の高いゴムシート２６が設けられており、前記ねじ部品３０が容易に緩まないようになっており、また多少緩んだとしても取付け力が極端に減少しないような構造となっている。このゴムシート２６は、プラスチック等の他の弾性部材であってもよい。
なお、図１に示す輸液ポンプ１１は、図２について上述した点滴カウンター９の取付け構造とほぼ同じ構造によって、イルリガートルスタンド１３に取付けられている。
【００２３】
本実施の形態の点滴カウンターの取付け構造では、輸液チャンバー７に取付けられた点滴カウンター９が、イルリガートルスタンド１３の柱部１４に取付け金具２７を介して取付けられている。これによって、スタンド１３に患者等が当っても輸液チャンバー７の滴数を乱すことがない。また、加えて、取付け金具２７，２９と柱部１４が接触する部分にゴムシート（弾性部材）２６が設けられているので、容易に取付けねじ３０が緩むことがない。
【００２４】
次に、図３および図４を用いて、本発明の第２の実施の形態に係る点滴カウンターの取付け構造を説明する。輸液チャンバー７に取付けられた点滴カウンター９は、イルリガートルスタンド１３に取付けする替わりに、輸液ポンプ１１に設けられた伸縮可能な支柱３１に取付けすることができる。支柱３１は、輸液ポンプ１１の本体の上部に上方向に延長するように設けられており、点滴カウンター９を取付けない場合は、輸液ポンプ１１の上部部分または本体内に収納できるようになっている。該伸縮可能な支柱３１の上端部には、ねじ加工が施されており、点滴カウンター９に設けたねじ穴に螺設されるようになっている。また、上述の点滴カウンター取付け金具２７と同様な構造のものを用いて支柱３１に取付けることもできる。
なお、図３，図４に示す輸液ポンプ１１は、図２において上述した点滴カウンター９の取付け構造とほぼ同じ構造によって、イルリガートルスタンド１３に取付けられている。
【００２５】
本実施の形態の点滴カウンターの取付け構造では、輸液チャンバー７に取付けられた点滴カウンター９が、輸液ポンプ１１の本体から上方に延長した支柱２１に取付け金具２７を介して取付けられている。これによって、スタンド１３に患者等が当っても輸液チャンバー７の滴数を乱すことがない。
【００２６】
次に、図５を用いて、本発明に係る輸液ポンプの取付け構造の一つの実施の形態について説明する。図５に、輸液ポンプ１１をイルリガートルスタンド１３に取付ける構造を示す。輸液ポンプ取付け金具２９には、イルリガートルスタンド１３の柱部１４に取付ける輸液ポンプ取付け部分３３と、イルリガートルスタンド１３の上方に設けられた水平竿部１５に爪部３９によって引っ掛ける部分が一体に形成されている。また、輸液ポンプ取付け金具２９には、輸液ポンプ１１を取付けるための係合突部３５が一体に設けられている。
【００２７】
輸液ポンプ取付け部分３３は、上述の点滴カウンター取付け金具２７と同様にねじ部材３０を螺合させて柱部１４に取付けることができる構造となっている。爪部３９は、取付部分３３から上方向に延びるように設けられ、その先端部がＲ形状を持たせて下方向に折り返された形状になっている。
【００２８】
係合突部３５は、輸液ポンプ取付け部分３３の付近に設けられている。係合突部３５は帯状の板金がＵ字形状に曲げられ、その開放部が上側となるように取付け金具２７に取付けられている。係合突部３５のＵ字形状の一つの側面は、輸液ポンプ取付け金具２９に固定されており、Ｕ字形状の他の側面形状部には、輸液ポンプ１１に固定された係合穴部３７が係合突部３５の上側から差し込まれるようになっている。そのため、係合突部３５の底部部分には、輸液ポンプ１１の重量に耐えるための補強が施されている。係合穴部３７は、係合突部３５とがたつきのないように挿入されるように穴形状が形成されている。係合突部３５または係合穴部３７の一方には、がたつきをなくすための弾性部材を設けておくこともできる。
なお、輸液ポンプ取付け金具２９を柱部１４に取付ける構造としては、図２について上述した点滴カウンター９の取付け構造とほぼ同じものを使用することができる。
【００２９】
本実施の形態の輸液ポンプの取付け構造では、輸液ポンプ１１を取付けるための取付け金具２９に設けられた爪部３９が水平竿部１５に引っ掛けられる構造となっているため、爪部３９を引っ掛けた後に容易に取付け金具２９をスタンド１３に取付けることができるとともに、たとえねじ部品３０が緩んだとしても輸液ポンプ１１が落下することがない。
【００３０】
ここでさらに、図６に、輸液ポンプ取付け金具２９の爪部３９の他の実施の形態として、その先端部が２つに分岐して形成されたものを示す。図６（ａ）に示すように、爪部３９は、輸液ポンプ取付部分３３からイルリガートルスタンド１３の柱部１４に沿って上方向に延びるように設けられ、スタンド１３の頂上部の付近で２つの爪部３９にＹ字形状に分岐し形成されている。イルリガートルスタンド１３の頂上部には、該頂上部から放射状に延びた複数本の水平竿部１５が設けられている。分岐したそれぞれの爪部３９は、前記頂上部で異なる２本の水平竿部１５にそれぞれ引っ掛かけられるようになっている。
【００３１】
図６の輸液ポンプの取付け構造では、爪部３９を２つに分岐させて、それぞれ異なる水平竿部１５に引っ掛けているので、２本のそれぞれの水平竿部１５で輸液ポンプ１１の重量を分担して支えることができるとともに、スタンド１３の重心を安定させ、良好なバランス状態で使用することができる。
【００３２】
さらに、他の実施の形態として、以下の構成にすることもできる。
例えば、金具２９の爪部３９を用いて水平竿部１５に引っ掛ける場合には、輸液ポンプ取付部分３３を柱部１４に容易に着脱することができる嵌め込み式とすることができる。この輸液ポンプ取付部分３３には、例えば、プラスチック等の弾性材料を用い、柱部１４の外径をその弾性によって把持する把持部を設け、着脱に力を作用させることによって該把持部が弾性変形して柱部１４からワンタッチで着脱できるような構造にすることができる。
また、取付け金具２９の爪部３９には、輸液ポンプ１１の設置位置に合せて上下方向に伸縮して設置位置を調節することのできる調整機構を設けることもできる。
【００３３】
【発明の効果】
上記したことから明らかなように、前記点滴カウンターを前記スタンドに取付けるための点滴カウンター取付け手段を設けたので、輸液中に病院関係者がイルリガートルスタンドを移動させる場合や、患者が誤ってスタンドに接触した場合でも、輸液チャンバーを振動で大きく揺らしてしまうことがない。これにより、輸液ポンプの警報などを必要時以外に作動させることがないようにすることができる。
【００３４】
また、前記輸液ポンプには上方向に延長する支柱を設け、前記点滴カウンターを該支柱に取付けるための点滴カウンター取付け手段を設けた場合には、上述のように輸液チャンバーに不要な振動を発生させず、病院関係者の労力を軽減させることができる。
【００３５】
前記点滴カウンター取付け手段には、該点滴カウンター取付け手段が前記スタンドまたは前記支柱と当接する部分に弾性部材を設けることができ、これによって、スタンドの振動や、輸液ポンプのボタン操作などの振動で、取付け金具のねじ部品が容易に緩まないようにすることができる。また、多少緩んだとしても取付け力が極端に減少しないようにすることができる。
【００３６】
また、前記輸液ポンプを前記スタンドに取付けるための輸液ポンプ取付け手段を設け、該輸液ポンプ取付け手段には、前記スタンドの柱部に取付ける第１の取付け部分と、前記スタンドの上部に設けた水平竿部に取付ける第２の取付け部分とを設けた場合には、輸液ポンプをより確実にスタンドに取付けることができる。
【００３７】
前記輸液ポンプ取付け手段の第２の取付け部分に、前記スタンドの水平竿部に引っ掛けられる爪部を設ける場合には、輸液ポンプ取付け手段を２箇所に取付ける作業を容易に行なうことができる。
【００３８】
前記爪部は、少なくとも２つ以上に先端部が分岐して形成され、前記スタンドの水平竿部に引っ掛けることができるようにすることにより、輸液ポンプの重量を２本以上の水平竿部に分割して受け持たせることもできる。これにより、スタンドの強度や、スタンド立脚時のバランス等を安定させることができる。
【図面の簡単な説明】
【図１】本発明に係るの第１の実施の形態であって、点滴カウンターを移動用スタンドに取付けた状態を示す正面図である。
【図２】図１に示すＡ−Ａ線による断面図である。
【図３】本発明に係るの第２の実施の形態であって、点滴カウンターを輸液ポンプから突設した支柱に取付けた状態を示す正面図である。
【図４】図３の点滴カウンターを取付けた状態を拡大して示す拡大正面図である。
【図５】本発明に係る実施の形態であって、輸液ポンプを取付け金具を用いてイルリガートルスタンドに取付けた状態の一部を拡大して示す拡大正面図である。
【図６】図５の取付け金具の爪部が先端で分岐した状態でイルリガートルスタンドに引っ掛けられている状態を示す図であって、（ａ）は正面図（ｂ）は側面図である。
【図７】従来の輸液用部品を移動用スタンドに取付けた状態を示す正面図である。
【符号の説明】
１  輸液用器具類
３  薬液
５  薬液ボトル
７  輸液チャンバー
９  点滴カウンター
１１  輸液ポンプ
１３  イルリガートルスタンド（スタンド）
１４  柱部
１５  水平竿部
１７  脚部
１９  管
２１  管
２３  管
２５  配線
２６  ゴムシート（弾性部材）
２７  点滴カウンター取付け金具（点滴カウンター取付け手段）
２８  把持部品
２９  輸液ポンプ取付け金具（輸液ポンプ取付け手段）
３０  ねじ部品
３１  支柱
３３  輸液ポンプ取付け部分（第１の取付け部分）
３５  係合突部
３７  係合穴部
３９  爪部（第２の取付け部分）
４０  設定ボタン
４２  電源
【図１】
2004283436.tif 000003
【図２】
2004283436.tif 000004
【図３】
2004283436.tif 000005
【図４】
2004283436.tif 000006
【図５】
2004283436.tif 000007
【図６】
2004283436.tif 000008
【図７】
2004283436.tif 000009